【手続補正書】
【提出日】平成28年9月13日(2016.9.13)
【手続補正１】
【補正対象書類名】特許請求の範囲
【補正対象項目名】全文
【補正方法】変更
【補正の内容】
【特許請求の範囲】
【請求項１】
サウンドフィールドを制御する方法であって、
サウンドトランスデューサアレイに関連した１つまたは複数のサウンドプロジェクションパターンのグラフィカル表現を、物理空間上で、表示することと、ここにおいて、前記サウンドトランスデューサアレイは、前記物理空間周辺の環境からのサウンドをキャプチャするためのマイクロフォンアレイを備え、前記サウンドプロジェクションパターンは、前記物理空間周辺の前記環境における物理波フィールドの前記マイクロフォンアレイによるサウンドピックアップに対応する、
前記物理空間を介して、前記１つまたは複数のサウンドプロジェクションパターンの前記グラフィカル表現に向けられた少なくとも１つのコマンドを検出することと、
前記少なくとも１つのコマンドに基づいて前記サウンドトランスデューサアレイの前記１つまたは複数のサウンドプロジェクションパターンを修正することと、
前記修正された１つまたは複数のサウンドプロジェクションパターンに基づいて前記物理空間上に表示された前記１つまたは複数のサウンドプロジェクションパターンの前記グラフィカル表現を更新することと
を備える、方法。
【請求項２】
物理空間と通信するサウンドトランスデューサアレイであって、
サウンドトランスデューサアレイに関連した１つまたは複数のサウンドプロジェクションパターンのグラフィカル表現を、物理空間上で、表示するための手段と、ここにおいて、前記サウンドトランスデューサアレイは、前記物理空間周辺の環境からのサウンドをキャプチャするためのマイクロフォンアレイを備え、前記サウンドプロジェクションパターンは、前記物理空間周辺の前記環境における物理波フィールドの前記マイクロフォンアレイによるサウンドピックアップに対応する、
前記物理空間を介して、前記１つまたは複数のサウンドプロジェクションパターンの前記グラフィカル表現に向けられた少なくとも１つのコマンドを検出するための手段と、
前記少なくとも１つのコマンドに基づいて前記サウンドトランスデューサアレイの前記１つまたは複数のサウンドプロジェクションパターンを修正するための手段と、
前記修正された１つまたは複数のサウンドプロジェクションパターンに基づいて前記物理空間上に表示された前記１つまたは複数のサウンドプロジェクションパターンの前記グラフィカル表現を更新するための手段と
を備える、サウンドトランスデューサアレイ。
【請求項３】
前記表示するための手段は、前記１つまたは複数のサウンドプロジェクションパターンの特性に基づいて前記１つまたは複数のサウンドプロジェクションパターンの前記グラフィカル表現を生成するための手段を備える、請求項２に記載のサウンドトランスデューサアレイ。
【請求項４】
前記特性は、ビーム幅、方向、原点、周波数範囲、信号対雑音比、前記１つまたは複数のサウンドプロジェクションパターンの受信機のまたは生成器のタイプのうちの少なくとも１つを備え、または
前記グラフィカル表現は、前記１つまたは複数のサウンドプロジェクションパターンの前記特性に比例したスケールを備える、
請求項３に記載のサウンドトランスデューサアレイ。
【請求項５】
前記物理空間について前記サウンドトランスデューサアレイのロケーションを決定するための手段と、
前記ロケーションに基づいて前記グラフィカル表現の原点を生成するための手段と
をさらに備える、請求項２に記載のサウンドトランスデューサアレイ。
【請求項６】
前記物理空間について前記サウンドトランスデューサアレイの方位を決定するための手段と、
前記方位に基づいて前記グラフィカル表現上での基準としての方位ベクトルを生成するための手段と
をさらに備える、請求項２に記載のサウンドトランスデューサアレイ。
【請求項７】
前記サウンドトランスデューサアレイは、多数のスピーカを備える、請求項２に記載のサウンドトランスデューサアレイ。
【請求項８】
前記サウンドプロジェクションパターンは、前記物理空間の周辺の大気に対する前記サウンドトランスデューサアレイのスピーカによるサウンド出力にも対応する、請求項２に記載のサウンドトランスデューサアレイ。
【請求項９】
前記少なくとも１つのコマンドを前記検出するための手段は、
前記物理空間でユーザのインタラクションを検出するための手段と、
前記ユーザによる所望の動作を決定する前記インタラクションを復号するための手段と
を備える、請求項２に記載のサウンドトランスデューサアレイ。
【請求項１０】
前記所望の動作は、前記１つまたは複数のサウンドプロジェクションパターンの前記グラフィカル表現を隠すことを備えうる、請求項９に記載のサウンドトランスデューサアレイ。
【請求項１１】
前記ユーザに、前記所望の動作を選択させることを可能にするために、前記物理空間上のユーザインターフェースを表示するための手段をさらに備える、請求項９に記載のサウンドトランスデューサアレイ。
【請求項１２】
前記所望の動作は、それへの第２の動作のアプリケーションのための前記１つまたは複数のサウンドプロジェクションパターンを選択することを備える、請求項９に記載のサウンドトランスデューサアレイ。
【請求項１３】
前記物理空間で前記ユーザの第２の動作を復号するための手段と、
前記ユーザによる第２の所望の動作を復号するための手段と
をさらに備え、前記第２の所望の動作は、前記１つまたは複数の仮想グルーピングに適用される、請求項１２に記載のサウンドトランスデューサアレイ。
【請求項１４】
前記少なくとも１つのコマンドは、ジェスチャであり、
前記ジェスチャは、多数回タップすることと、前記１つまたは複数のサウンドプロジェクションパターンのまわりに１つまたは複数の円を描くことと、グループとして操作するために前記１つまたは複数のサウンドプロジェクションパターンのうちの複数のプロジェクションパターンをグルーピングすることと
のうちの少なくとも１つを備える、請求項２に記載のサウンドトランスデューサアレイ。
【請求項１５】
サウンドフィールドを制御するための１つまたは複数の命令を備えるコンピュータ可読記憶媒体であって、前記１つまたは複数の命令は、少なくとも１つのプロセッサによって実行されると、前記少なくとも１つのプロセッサに、
サウンドトランスデューサアレイに関連した１つまたは複数のサウンドプロジェクションパターンのグラフィカル表現を、物理空間上で、表示することと、ここにおいて、前記サウンドトランスデューサアレイは、前記物理空間周辺の環境からのサウンドをキャプチャするためのマイクロフォンアレイを備え、前記サウンドプロジェクションパターンは、前記物理空間周辺の前記環境における物理波フィールドの前記マイクロフォンアレイによるサウンドピックアップに対応する、
前記物理空間を介して、前記１つまたは複数のサウンドプロジェクションパターンの前記グラフィカル表現に向けられた少なくとも１つのコマンドを検出することと、
前記少なくとも１つのコマンドに基づいて前記サウンドトランスデューサアレイの前記１つまたは複数のサウンドプロジェクションパターンを修正することと、
前記修正された１つまたは複数のサウンドプロジェクションパターンに基づいて前記物理空間上に表示された前記１つまたは複数のサウンドプロジェクションパターンの前記グラフィカル表現を更新することと
を行わせる、コンピュータ可読記憶媒体。